(57)【要約】【課題】  機器の電源オフ時においても、内部情報を取得することができる機器を実現する。【解決手段】  外部機器と通信する制御プログラムと、この制御プログラムが利用する物理メモリと、前記制御プログラムの情報を表示する表示器とを有するフィールド機器において、  前記表示器はメモリ性を備え、前記制御プログラムは前記物理メモリにエラー情報を書き込むと共に、前記表示器に同一エラー情報を渡してメモリ表示させる。【選択図】                    図１
2009211359.tif 000002
【特許請求の範囲】
【請求項１】
外部機器と通信する制御プログラムと、この制御プログラムが利用する物理メモリと、前記制御プログラムの情報を表示する表示器とを有するフィールド機器において、
前記表示器はメモリ性を備え、前記制御プログラムは前記物理メモリにエラー情報を書き込むと共に、前記表示器に同一エラー情報を渡してメモリ表示させることを特徴とするフィールド機器。
【請求項２】
前記制御プログラムは、内部の設定情報を前記表示器に渡してメモリ表示させることを特徴とする請求項１に記載のフィールド機器。
【請求項３】
前記表示器は、機器の銘板情報をメモリ表示することを特徴とするフィールド機器。
【発明の詳細な説明】
【技術分野】
【０００１】
本発明は、外部機器と通信する制御プログラムと、この制御プログラムが利用する物理メモリと、前記制御プログラムの情報を表示する表示器とを有するフィールド機器に関するものである。
【背景技術】
【０００２】
無電源で表示可能であり、電子回路等の付帯装置を持たないため薄型化や軽量化が容易で、表示情報（画像）の書き込みおよび書き換えを簡単に行うことのできる液晶表示素子については、特許文献１に技術開示がある。
【０００３】
図４は、表示器を有する従来のフィールド機器の構成例を示す機能ブロック図である。プラントの制御等で使用されるフィールド機器１０は、フィールドバス２０を介してモニタツール等の外部機器３０と通信可能に接続されている。
【０００４】
フィールド機器１０は、外部機器３０と通信する制御プログラム１１、この制御プログラムが利用する物理メモリ１２、この制御プログラムの情報を表示するＬＣＤ表示器１３よりなる。制御プログラム１１がエラーを検出した場合には、エラー情報が履歴として物理メモリ１２へ書き込まれて保存される。
【０００５】
このエラー情報は、フィールドバス２０を介して、モニタツール３０から物理メモリ１２にアクセスして読み出すことができる。エラー解析時は、この読み出したエラーデータを使用してモニタツール３０で実行される。
【０００６】
【特許文献１】特開２００５−２８４１７５号公報
【発明の開示】
【発明が解決しようとする課題】
【０００７】
このような構成の機器では、次のような問題がある。
（１）フィールド機器１０の電源を入れることができない状況や、フィールドバス通信ができない況においては、エラー情報を取得することができないため、エラー解析が困難になる。
【０００８】
（２）物理メモリ１２を取り外して解析することは不可能ではないが、プリント基板上にはんだ付けされているため、取り外しや取り付けが困難である。
【０００９】
本発明は上述した問題点を解決するためになされたものであり、機器の電源オフ時においても、内部情報を取得することができるフィールド機器の実現を目的としている。
【課題を解決するための手段】
【００１０】
このような課題を達成するために、本発明は次の通りの構成になっている。
（１）外部機器と通信する制御プログラムと、この制御プログラムが利用する物理メモリと、前記制御プログラムの情報を表示する表示器とを有するフィールド機器において、
前記表示器はメモリ性を備え、前記制御プログラムは前記物理メモリにエラー情報を書き込むと共に、前記表示器に同一エラー情報を渡してメモリ表示させることを特徴とするフィールド機器。
【００１１】
（２）前記制御プログラムは、内部の設定情報を前記表示器に渡してメモリ表示させることを特徴とする（１）に記載のフィールド機器。
【００１２】
（３）前記表示器は、機器の銘板情報をメモリ表示することを特徴とするフィールド機器。
【発明の効果】
【００１３】
本発明の構成によれば、次のような効果を期待することができる。
（１）フィールド機器の電源の状態およびフィールドバスへ接続状態に依存せずにエラー情報を取得することができため、エラー解析が容易になる。
【００１４】
（２）メモリ性表示器は、書き換え時にのみ電力供給を行えばよいので、連続して電力を供給する必要がなくなり、機器の消費電力の削減に寄与できる。
【発明を実施するための最良の形態】
【００１５】
以下、本発明を図面により詳細に説明する。図１は、本発明を適用したフィールド機器の一実施形態を示す機能ブロック図である。図４で説明した従来のフィールド機器と同一要素には同一符号を付して説明を省略する。
【００１６】
従来構成に比較した本発明機器の特徴部は、従来の表示器１３に代えて、メモリ性表示器１００を使用することにある。メモリ性のある表示器とは、電源供給を行わない状態であっても表示内容を維持できる表示器のことである。
【００１７】
制御プログラム１１がエラーを検出した場合には、エラー情報が履歴として物理メモリ１２に書き込み保存されと共に、同一エラー情報がメモリ性表示器１００に渡されてメモリ表示される。
【００１８】
従来のフィールド機器と同様に、フィールドバス２０を介して、モニタツール３０から物理メモリ１２上のエラー情報を読み出すことができる。メモリ性表示器１００で表示しているデータ内容は、電源オフ後も残るため、電源オフ時に物理メモリ１２上のエラー情報を読み出すことができない場合でも、メモリ性表示器１００に保存されているエラー情報にアクセスすることにより、エラー解析を実行することができる。
【００１９】
図３は、本発明の他の実施形態を示す機器の外観図である。この実施形態の特徴は、フィールド機器１０の外面に取り付けられたメモリ性表示器２００を、フィールド機器１０内部設定情報の表示手段として機能させる点にある。
【００２０】
フィールド機器等は、製造時に、デバイスタグ名とネットワークアドレスを設定した状態で出荷するが、その設定情報を確認するためには実際に電源投入およびフィールドバスへの接続が必要となる。
【００２１】
メモリ性表示器を使用することで、フィールド機器への電源投入の有無およびフィールドバス接続の有無にかかわらず、デバイスタグ名やネットワークアドレス等の内部設定情報を容易に確認することができる。
【００２２】
図４は、本発明の更に他の実施形態を示すフィールド機器の外観図である。この実施形態の特徴は、フィールド機器１０の外面に取り付けられたメモリ性表示器３００を、銘板として機能させる点にある。
【００２３】
従来のフィールド機器等は、モデル名等を刻印した金属プレートを筐体側面に貼り付けている。この銘板表示は、機器内部の機能が変更されることがない、という前提で使用されているものとなっている。
【００２４】
近年ではソフトウェアダウンロードによるファームウェア更新が行われることもあり、場合によっては銘板に記載する情報に影響があるファームウェアの更新が発生する可能性がある。その際は、銘板を変更する必要があるが、現場において金属プレートを取り外しや取り付けによる作業は非常に困難であり、コストがかかる作業である。
【００２５】
金属プレートの銘板に代えて、メモリ性のある表示器を使用することにより、ファームウェア更新等で機器の機能が変更された場合でも銘板表示変更の書き替えが容易であると共に、メモリ性のある表示器であるため、表示器への電源供給がなくとも表示内容を維持することができるため、金属プレートの銘板代替とすることができる。
【図面の簡単な説明】
【００２６】
【図１】本発明を適用した機器の一実施形態を示す機能ブロック図である。
【図２】本発明の他の実施形態を示すフィールド機器の外観図である。
【図３】本発明の更に他の実施形態を示すフィールド機器の外観図である。
【図４】表示器を有する従来の機器の構成例を示す機能ブロック図である。
【符号の説明】
【００２７】
１０  フィールド機器
１１  制御プログラム
１２  物理メモリ
２０  フィールドバス
３０  モニタツール
１００  メモリ性表示器
【図１】
2009211359.tif 000003
【図２】
2009211359.tif 000004
【図３】
2009211359.tif 000005
【図４】
2009211359.tif 000006